(57)【特許請求の範囲】
【請求項１】
複数の走査線と複数のデータ線との交差に対応して設けられ、各々は、
前記走査線に選択電圧が印加されたときに、前記データ線の電圧とコモン電極との間の差電圧に応じた階調となる画素を有する表示パネルと、
前記複数の走査線を所定の順番で選択する走査線駆動回路と、
前記コモン電極に対して、前記走査線が所定数選択される毎に、第１の電圧と該第１の電圧よりも高い第２の電圧とを交互に切り替えたコモン信号を供給するコモン信号供給回路と、
前記選択電圧が印加された走査線に対応する前記画素に対し、当該画素の階調に応じた電圧であって、前記コモン電極に印加される電圧に応じた極性のデータ信号を、データ線を介して供給するデータ線駆動回路と、
前記表示パネルに積層され、検出電極を有するタッチパネル基板と、
前記検出電極のタッチ検出を行う検出回路と、
を備え、
前記検出回路は、
電源線と所定のノードとの間に流れる電流を一定値とさせる定電流源と、
前記検出電極と前記ノードとの間でオンまたはオフする第１スイッチと、
前記検出電極と接地線との間でオンまたはオフする第２スイッチと、
前記ノードと前記接地線との間に介挿された容量素子と、
を有し、
前記検出回路が前記検出電極の容量を検出するための期間は、前記第１および第２スイッチを互いに排他的にオンおよびオフさせる動作を繰り返すセトリング期間と、該セトリング期間の後に、前記第１スイッチをオフさせ、前記第２スイッチをオンさせて、前記ノードの電圧が予め設定された基準電圧に達するまでの時間に基づいて前記検出電極におけるタッチ検出を行うカウント期間とを有し、
前記コモン信号供給回路は、前記セトリング期間の途中において前記コモン信号の電圧を切り替えない
ことを特徴とする表示装置。
【請求項２】
前記所定数は２以上であり、
前記コモン信号供給回路は、前記コモン信号の電圧を切り替えるタイミングを、フレーム毎に、前記所定数よりも少ない数だけシフトさせる
ことを特徴とする請求項１に記載の表示装置。
【請求項３】
前記コモン信号供給回路は、前記セトリング期間の開始時に前記コモン信号の電圧を切り替える
ことを特徴とする請求項１に記載の表示装置。
【請求項４】
請求項１に記載の表示装置を有することを特徴とする電子機器。
【発明の詳細な説明】
【技術分野】
【０００１】
本発明は、表示パネルから発生するノイズによってタッチ検出の精度が低下するのを抑
える技術に関する。
【背景技術】
【０００２】
液晶を用いた表示パネルでは、走査線とデータ線との交差に対応して、画素電極とコモ
ン電極（対向電極）とで液晶を挟持した液晶容量が設けられ、この液晶容量に階調（明る
さ）に応じた電圧を書き込むことによって所定の表示を行うようになっている。近年では
、このような表示パネルに、タッチ検出を行うタッチパネルが設けられる場合もある。タ
ッチパネルを表示パネルに設けると、タッチパネルによる入力に応じた画像を表示パネル
に表示させることができるので、ユーザの利便性を向上させることが可能となる。
ただし、表示パネルは、様々なノイズの発生源であり、当該ノイズがタッチパネルに伝
搬し、タッチ検出に悪影響を与える。そこで、表示パネルにおける１フレーム（通常、１
６．７ミリ秒）の期間を表示用の書込期間と検出期間とに分けるとともに、検出期間にお
いてタッチパネルの検出を実行することによって、書込期間で発生するノイズが、タッチ
パネルの検出に影響を与えないようにする技術が提案されている（例えば特許文献１参照
）。
【特許文献１】特開平１０−１２４２３３号公報
【発明の開示】
【発明が解決しようとする課題】
【０００３】
しかしながら、この技術では、タッチパネルの検出が１フレームに１回の割合に制限さ
れるので、タッチ検出の制約が大きい。また、近年では、液晶容量を交流駆動する際にデ
ータ線の電圧振幅を抑えるため、当該コモン電極の電圧を、低位側電圧および高位側電圧
に交互に切り替えることも行われているが、このコモン電極の電圧の切り替わりに伴うノ
イズの影響も無視できなくなっている。
本発明は、このような事情に鑑みてなされたもので、その目的の一つは、タッチパネル
の検出が１フレームで１回に制限されず、かつ、コモン電極の電圧を切り替えに伴うノイ
ズの影響を受けにくいタッチパネル付きの表示装置および電子機器を提供することにある
。
【課題を解決するための手段】
【０００４】
上記目的を達成するために本発明の表示装置は、複数の走査線と複数のデータ線との交差に対応して設けられ、各々は、前記走査線に選択電圧が印加されたときに、前記データ線の電圧とコモン電極との間の差電圧に応じた階調となる画素を有する表示パネルと、前記複数の走査線を所定の順番で選択する走査線駆動回路と、前記コモン電極に対して、前記走査線が所定数選択される毎に、第１の電圧と該第１の電圧よりも高い第２の電圧とを交互に切り替えたコモン信号を供給するコモン信号供給回路と、前記選択電圧が印加された走査線に対応する前記画素に対し、当該画素の階調に応じた電圧であって、前記コモン電極に印加される電圧に応じた極性のデータ信号を、データ線を介して供給するデータ線駆動回路と、前記表示パネルに積層され、検出電極を有するタッチパネル基板と、前記検出電極のタッチ検出を行う検出回路と、を備え、前記検出回路は、電源線と所定のノードとの間に流れる電流を一定値とさせる定電流源と、前記検出電極と前記ノードとの間でオンまたはオフする第１スイッチと、前記検出電極と接地線との間でオンまたはオフする第２スイッチと、前記ノードと前記接地線との間に介挿された容量素子と、を有し、前記検出回路が前記検出電極の容量を検出するための期間は、前記第１および第２スイッチを互いに排他的にオンおよびオフさせる動作を繰り返すセトリング期間と、該セトリング期間の後に、前記第１スイッチをオフさせ、前記第２スイッチをオンさせて、前記ノードの電圧が予め設定された基準電圧に達するまでの時間に基づいて前記検出電極におけるタッチ検出を行うカウント期間とを有し、前記コモン信号供給回路は、前記セトリング期間の途中において前記コモン信号の電圧を切り替えないことを特徴とする。本発明において、セトリング期間におけるノードの電圧は、検出電極における容量成分に応じた電圧にセトリングする。検出電極における容量成分は、タッチの有無によって異なるので、カウント期間において、ノードは定電流源による容量素子への充電によって基準電圧に達するまでの時間によって検出電極におけるタッチの有無を検出することができる。本願発明によれば、セトリング期間において、コモン電極における電圧の切り替えが発生しないので、セトリング期間のノイズによる影響を及ぼすことがなくなって、タッチの誤検出が未然に防止される。
【０００５】
本発明において、前記所定数は２以上であり、前記コモン信号供給回路は、前記コモン信号の電圧を切り替えるタイミングを、１以上の所定フレーム毎に、前記所定数よりも少ない数だけシフトさせる構成としても良い。走査線が所定数選択される毎にコモン信号の電圧が切り替えられる場合、当該所定数の走査線に位置する画素はすべて同極性でデータ信号が書き込まれるので、表示むらの原因となるが、この構成のように、コモン信号の電圧を切り替えるタイミングを、フレーム毎に所定数よりも少ない数でシフトさせると、同極性となる走査線方向の画素が時間的に移動するので、表示むらと視認されにくくなる。
また、本発明において、前記コモン信号供給回路は、前記セトリング期間の開始時に前記コモン信号の電圧を切り替える構成としても良い。
なお、本発明は、表示装置のみならず、当該表示装置を有する電子機器としての概念を内包することが可能である。
【発明を実施するための最良の形態】
【０００６】
以下、本発明の実施の形態について図面を参照して説明する。
図１（ａ）は、本発明の実施形態に係る表示装置の構成を示す図である。
この図に示されるように、表示装置１は、表示パネル１０と、タッチ検出用の検出電極
が形成されたタッチパネル基板２２とを積層した構成である。表示パネル１０は、素子基
板１２と対向基板１４とを互いに一定の間隔を保って貼り合わせるとともに、当該間隙に
液晶層が封止した構成となっている。なお、図１（ａ）では、説明のために表示パネル１
０とタッチパネル基板２２との間を離した状態で示しているが、実際には、これらは密着
した状態となっている。
【０００７】
一方、タッチパネル基板２２には、透明導電膜からなる検出電極２０２が図１（ｂ）に
示されるように、複数個（本実施形態では１０個）形成されている。検出電極２０２は、
本実施形態では同図に示されるように、形状が直角三角形であり、斜辺同士を対向配置さ
せたものが、縦方向に５組連続的に配列している。なお、検出電極２０２についての形状
は、例えば矩形形状としてマトリクス状に配列させても良い。
【０００８】
図２は、表示装置１の電気的な構成を示すブロック図である。
タッチパネルの検出回路５０は、検出電極２０２の各々に接続されて当該検出電極２０
２の容量に応じた時間カウント値を出力する容量検出回路４０と、内部発振器で生成した
クロック信号を後述するように信号Ｃk1〜Ｃk10に分配するクロック分配回路４４とを集
積したＩＣチップである。
【０００９】
説明便宜のため、表示パネル１０および駆動回路３０について説明する。図３は、これ
らの構成を示すブロック図である。
この図に示されるように、本実施形態において表示パネル１０では、３２０行の走査線
１１２が行（Ｘ）方向に延在するように、また、２４０列のデータ線１１４が列（Ｙ）方
向に延在するように、それぞれ設けられている。そして、これらの１〜３２０行目の走査
線１１２と１〜２４０列目のデータ線１１４との交差に対応して、画素１１０がそれぞれ
配列している。したがって、本実施形態では、表示パネル１０において画素１１０が縦３
２０行×横２４０列のマトリクス状に配列することになるが、本発明を当該配列に限定す
る趣旨ではない。
また、本実施形態では、コモン電極１０８には、コモン信号供給回路３２０によるコモ
ン信号Ｖcomが供給されており、すべての画素１１０にわたって共用されている。
【００１０】
画素１１０については、図４に示されるように、ｎチャネル型の薄膜トランジスタ（th
in film transistor：以下単に「ＴＦＴ」と略称する）１１６と液晶容量１２０とを有し
、このうち、ＴＦＴ１１６のゲート電極が走査線１１２に接続される一方、そのソース電
極がデータ線１１４に接続され、そのドレイン電極が画素電極１１８にそれぞれ接続され
ている。
ここで、画素電極１１８は素子基板１２に形成される。一方、コモン電極１０８はすべ
ての画素電極１１８に対向するように対向基板１４に形成されて、画素電極１１８との間
で液晶層１０５を挟持する。したがって、画素１１０毎に、画素電極１１８、コモン電極
１０８および液晶層１０５からなる液晶容量１２０が構成される。
なお、このような液晶容量１２０において、画素電極１１８とコモン電極１０８との間
を通過する光の透過率は、液晶容量１２０に保持される電圧の実効値がゼロであれば最小
値（最も暗い状態）となる一方、当該実効値が大きくなるにつれて、透過率が徐々に大き
くなるノーマリーブラックモードに設定される。このため、バックライトユニット（図示
省略）よって照射された光は、画素１１０毎に、液晶容量１２０に保持された電圧の実効
値に応じた比率で出射する。したがって、画素１１０毎に、階調に応じた電圧を液晶容量
１２０に保持させることによって、目的の画像を表示させることができる。
【００１１】
駆動回路３０は、制御回路３１０、コモン信号供給回路３２０、走査線駆動回路３４０
およびデータ線駆動回路３５０を有する。このうち、制御回路３１０は、各種制御信号を
出力して、コモン信号供給回路３２０、走査線駆動回路３４０およびデータ線駆動回路３
５０の各部をそれぞれ制御するものである。走査線駆動回路３４０は、１フレームの期間
において走査信号Ｙ１、Ｙ２、Ｙ３、…、Ｙ３２０を、それぞれ１、２、３、…、３２０
行目の走査線１１２に供給する。詳細には、走査線駆動回路３４０は、図５に示されるよ
うに、１フレームの期間において走査線１１２を１行ずつ図１において上から数えて１、
２、３、…、３２０行目という順番で水平走査期間（Ｈ）毎に選択し、選択した走査線へ
の走査信号をＨレベルに相当する選択電圧ＶＧＨとし、それ以外の走査線への走査信号を
Ｌレベルに相当する電圧ＶＧＬとする。
なお、本実施形態において１フレームとは、１枚の画像を表示させるのに要する期間を
いい、図５に示されるように、１行目の走査線を選択してから３２０行目の走査線を選択
するまでの期間をいう。
【００１２】
データ線駆動回路３５０は、走査線駆動回路３４０により選択電圧が印加された走査線
１１２に位置する画素１１０に対し、画素の階調に応じた電圧であって、制御回路３１０
で指定された書込極性に応じた電圧のデータ信号を、１〜２４０列目のデータ線１１４に
それぞれ供給するものである。
詳細には、データ線駆動回路３５０は、縦３２０行×横２４０列の画素マトリクス配列
に対応した記憶領域（図示省略）を有し、各記憶領域において、それぞれに対応する画素
１１０の階調（明るさ）を指定する表示データＤaを記憶する。ここで、データ線駆動回
路３５０は、ある走査線１１２に選択電圧が印加される直前において、当該走査線１１２
に位置する画素１１０の表示データＤaを記憶領域から読み出すとともに、当該読み出し
た表示データで指定された階調および書込極性に応じた電圧に変換し、走査線に選択電圧
が印加されるタイミングに合わせて、データ信号としてデータ線１１４に供給する。この
供給動作を、データ線駆動回路３５０は、選択される走査線１１２に位置する１〜２４０
列のそれぞれについて並列的に実行する。
なお、データ信号は、書込極性として正極性が指定されていれば、表示データＤaで指
定される階調が明るくなるにつれて、後述する電圧ＶcomLを基準として高位側とした電圧
となり、書込極性として負極性が指定されていれば、表示データＤaで指定される階調が
明るくなるにつれて、後述する電圧ＶcomHを基準に低位側とした電圧となる。
また、記憶領域に記憶される表示データＤaは、表示内容に変更が生じた場合に、外部
上位回路（図示省略）から書込アドレスとともに変更後の表示データＤaが供給されて書
き換えられる。
【００１３】
本実施形態において、画素への書き込み極性は、同一フレームでは４行毎に反転する方
式としている。すなわち、同一フレームでは、相隣接する４行の走査線が選択される４水
平走査期間（４Ｈ）にわたって正極性または負極性のいずれか一方の極性としたとき、次
の相隣接する４行の走査線が選択される４水平走査期間（４Ｈ）にわたって正極性または
負極性のいずれか他方の極性となる。
なお、次のフレームでも画素への書き込み極性は４行毎に反転するが、前フレームとは
、正極性から負極性に、および、負極性から正極性に、それぞれ変化するタイミングが３
行分下方にシフトする。
また、正極性とは、液晶容量１２０に階調に応じた電圧を保持させる際に、コモン電極
１０８よりも画素電極１１８を高位側とする場合をいい、反対に負極性とは、コモン電極
１０８よりも画素電極１１８を低位側とする場合をいう。
【００１４】
コモン信号供給回路３２０は、次のような電圧のコモン信号Ｖcomをコモン電極１０８
に供給するものである。詳細には、コモン信号供給回路３２０は、ある１行の走査線が選
択される水平走査期間（Ｈ）において、正極性書込が指定されていればコモン信号Ｖcom
を電圧ＶcomLとし、負極性書込が指定されていればコモン信号Ｖcomを電圧ＶcomHとする
。
ここで、電圧ＶcomL、ＶcomHは、図５に示されるように、Ｌレベルに相当する電圧ＶＧ
Ｌと、Ｈレベルに相当する選択電圧ＶＧＨとにおいて、ＶＧＬ＜ＶcomL＜ＶcomH＜ＶＧＨ
という関係にある。
画素への書き込み極性は４行毎に反転するので、同一フレームにおけるコモン信号Ｖco
mは、４水平走査期間（４Ｈ）毎に電圧ＶcomL、ＶcomHに切り替わる。すなわち、同一フ
レームにおけるコモン信号Ｖcomの１周期は、８水平走査期間（８Ｈ）である。
なお、コモン信号Ｖcomは、クロック分配回路４４に供給されて、電圧ＶcomLから電圧
ＶcomHに変化するタイミングがセトリング期間の開始となるように規定する。ここで、コ
モン信号Ｖcomの電圧ＶcomH、ＶcomLは、論理レベルであるＨ、Ｌレベルとは振幅が異な
るので、実際には、図示省略したレベルシフタによって論理振幅が変換されて、クロック
分配回路４４に供給される。
【００１５】
次に、表示装置１におけるタッチパネルについて説明する。このタッチパネルは、タッ
チパネル基板２２と、当該タッチパネル基板２２に形成された検出電極２０２の容量を検
出するための容量検出回路４０とにより構成される。
【００１６】
図８は、タッチパネルの電気的な要部構成を示すブロック図である。
この図に示されるように、容量検出回路４０は、１０個の検出電極２０２にそれぞれ対
応するように設けられたスイッチ群４１と、定電流源４２０と、容量素子４３０と、コン
パレータ４４１と、カウンタ４４３とを含む。
【００１７】
１〜１０番目の検出電極２０２に対応するスイッチ群４１は、それぞれ信号Ｃk1〜Ｃk1
0が供給される以外、構成的には同一である。そこで、１番目の検出電極２０２に対応す
るもので説明すると、１番目のスイッチ群４１は、一端が１番目の検出電極２０２に接続
されたスイッチ４１１と、当該スイッチ４１１の一端（検出電極２０２）と電位Ｇndの接
地線との間でオンオフするスイッチ４１２と、信号Ｃk1の否定信号を出力するインバータ
４１４とを有する。
スイッチ４１１は、信号Ｃk1がＨレベルのときにオンし、信号Ｃk1がＬレベルのときに
オフする一方、スイッチ４１２は、信号Ｃk1の否定信号がＨレベルのときにオンし、当該
否定信号がＬレベルのときにオフする。したがって、スイッチ４１１、４１２は常に一方
がオンであれば他方がオフし、一方がオフであれば他方がオンするという構成となってい
る。
２〜１０番目の検出電極２０２に対応するスイッチ群４１についても、１番目の検出電
極２０２に対応するスイッチ群４１と同様な構成であるが、信号Ｃk1の代わりにそれぞれ
信号Ｃk2〜Ｃk10が供給される。
【００１８】
１〜１０番目の検出電極２０２に対応するスイッチ群４１において、スイッチ４１１の
他端同士は共通接続されている。便宜上、この共通接続点をノードＡと表記する。
定電流源４２０は、電源電圧の高位側給電線からノードＡに向けて一定の電流Ｉdacを
流す回路である。また、容量素子４３０は、ノードＡと接地線との間に介挿されている。
コンパレータ４４１は、ノードＡの電圧と基準電圧Ｖrefとを比較し、ノードＡの電圧
が基準電圧Ｖrefよりも低い場合にＨレベルとなり、ノードＡの電圧が基準電圧Ｖref以上
となった場合にＬレベルとなる信号Ｖcmpを出力する。
カウンタ４４３は、信号ＶcmpがＨレベルであるときにカウント動作が許可されて、ク
ロック信号Ｏscをカウントするものであり、そのカウント値Ｃntを外部の制御回路（図示
省略）に出力する。なお、カウンタ４４３によるカウント値Ｃntは、後述するカウント期
間の最初に供給されるパルス信号Ｐsによりゼロにリセットされる。
【００１９】
次に、容量検出の動作について説明する。図９は、タッチパネルにおける検出動作の割
り当てを示す図である。この図に示されるように、タッチパネルでは、１番目、２番目、
３番目、…、１０番目の検出電極２０２の容量について、この順番で検出する動作を繰り
返す。各検出電極２０２の容量を検出するための期間は、セトリング期間とカウント期間
とに分けられる。セトリング期間はカウント期間よりも短く設定される。
クロック分配回路４４は、コモン信号Ｖcomが電圧ＶcomLから電圧ＶcomHに変化するタ
イミングでセトリング期間が開始するように制御する。詳細には、クロック分配回路４４
は、内部発振器によって周波数が３ＭＨｚ程度であってデューティ比が５０％のクロック
信号を生成する一方、コモン信号Ｖcomが電圧ＶcomLから電圧ＶcomHに変化するタイミン
グでセトリング期間を開始させて、当該セトリング期間において検出対象となる検出電極
２０２に対応するスイッチ群４１に、生成したクロック信号を信号Ｃkとして供給する一
方、検出対象以外の検出電極２０２に対応するスイッチ群４１に、Ｌレベルに固定した信
号をＣkとして供給する。これにより、例えば１番目の検出電極２０２が検出対象となっ
たとき、セトリング期間において信号Ｃk1はクロック信号と同じデューティ比が５０％の
信号となり、他の信号Ｃk2〜Ｃk10はＬレベルとなる。
なお、セトリング期間が終了したとき、クロック分配回路４４は、当該セトリング期間
において検出対象となる検出電極２０２に対応するスイッチ群４１に供給していた信号Ｃ
kについてもＬレベルとする。
【００２０】
ここで、１番目の検出電極２０２の容量検出動作について図１０を参照して説明する。
この図に示されるように、１番目の検出電極２０２について容量を検出するための期間
のうち、セトリング期間では、信号Ｃk1がＨレベルおよびＬレベルを交互に繰り返す。
【００２１】
検出電極２０２が形成されるタッチパネル基板２２は、表示パネル１０に対して積層さ
れるので、検出電極２０２には様々な容量が寄生する。図８において、Ｃlcdは、表示パ
ネル１０（の各種電極等）との結合容量であり、Ｃeは、他の電極との結合容量および浮
遊容量の合成容量である。このうち、容量Ｃlcdは、表示パネル１０の各種電極、例えば
コモン電極１０８や、走査線１１２、データ線１１４等を介して電位Ｇndに接地される。
ここで便宜的に、１番目の検出電極２０２に対する容量Ｃlcdおよび容量Ｃeの合成容量を
Ｃx1と表す。
なお、図６では、１番目の検出電極２０２についてのみ寄生する容量を図示しているが
、２〜１０番目の検出電極２０２についても同様に容量が寄生する。
【００２２】
セトリング期間において信号Ｃk1がＨレベルであると、スイッチ４１１がオンし、スイ
ッチ４１２がオフするので、定電流Ｉdacによって容量Ｃx1が充電される。このとき、容
量Ｃx1は十分に小さいので、容量Ｃx1に流れる電流は、すぐにゼロとなる。
次に、セトリング期間において信号Ｃk1がＬレベルになると、スイッチ４１１がオフし
、スイッチ４１２がオンするので、容量Ｃx1には、その放電によって放電電流が流れ、や
がて完全に放電して放電電流がゼロとなる。
【００２３】
ここで、セトリング期間において、信号Ｃk1がＨレベルであるときに容量Ｃx1に充電さ
れる電荷と、信号Ｃk1がＬレベルであるときに容量Ｃx1から放電される電荷とは互い等し
いので、スイッチ４１１、４１２のオンオフを一定周期で繰り返すと、充電による電流平
均値と放電による電流平均値とは同じ大きさとなる。すなわち、電源電圧からみた容量Ｃ
x1は、充放電流の平均値が流れる抵抗素子と等価である、と考えることができる（スイッ
チドキャパシタ回路）。このため、セトリング期間が十分に長ければ、図１０に示される
ように、ノードＡの平均電圧Ｖaは、Ｉdac／（ｆs・Ｃx1）にセトリングすることになる
。ここで、電圧｛Ｉdac／（ｆs・Ｃx1）｝が基準電圧Ｖcmpよりも低くなるように、周波
数ｆs、定電流Ｉdacを設定する。このように設定したとき、セトリング期間の終了時にお
いて、コンパレータ４４１による信号ＶcmpはＨレベルとなる。
【００２４】
続いてセトリング期間が終了してカウント期間に移行すると、信号Ｃk1はＬレベルとな
る。これにより、スイッチ４１１がオフに、スイッチ４１２がオンに、それぞれ固定され
るので、検出電極２０２は、ノードＡから切り離されて、電位Ｇndに接地される。このた
め、ノードＡは、定電流Ｉdacによって容量素子４３０が充電されるので、電圧Ｉdac／（
ｆs・Ｃx1）から一定の割合で上昇する。
また、カウント期間の最初にパルス信号Ｐsが出力されるとともに、クロック信号Ｏsc
が図示省略した別途の発振器から出力される。このため、カウンタ４４３のカウント値Ｃ
ntがゼロにリセットされる。さらに、信号ＣmpがＨレベルであり、カウント動作が許可さ
れているので、カウンタ４４３は、クロック信号Ｏscをアップカウントすることになる。
ノードＡの電圧が上昇し、やがて基準電圧Ｖrefに達すると、信号ＶcmpがＬレベルに変
化するので、カウンタ４４３では、カウント動作が不許可になる。このため、カウント値
Ｃntは、カウント期間の開始から、ノードＡが基準電圧Ｖrefに達した時点までの間にお
けるクロック信号Ｏscの周期数となる。
【００２５】
ここで、１番目の検出電極２０２に指等がタッチしている場合、当該指等との静電結合
により容量Ｃeが見掛け上、増加して、合成容量Ｃx1も増加する。このため、セトリング
期間の終端において、ノードＡの電圧Ｖaは、細線で示されるように低下するので、基準
電圧Ｖrefに達するまでの時間がそれだけ長くなり、カウント値Ｃntが増加する。
したがって、外部の制御回路が、カウンタ４４３によるカウント値Ｃntについて、非タ
ッチ時における値を基準として、大きいか否かを判断することによって、１番目の検出電
極２０２において指等がタッチしているか否かを検出することができる。
このような動作を１番目から１０番目までの検出電極２０２について順番に繰り返して
実行することによって、すべての検出電極２０２についてタッチがされているか否かを検
出することができる。
【００２６】
ところで、コモン信号Ｖcomが印加されるコモン電極１０８は、すべての画素の画素電
極１１８に対向するために広面積であるので、コモン電極１０８の電圧切り替わりに伴う
ノイズは、タッチパネル基板２２に形成された検出電極２０２に対して容量Ｃlcdを介し
て伝搬しやすい。仮に、例えば１番目の検出電極２０２に対応したセトリング期間の途中
でコモン信号Ｖcomの電圧が切り替わると、当該電圧切り替わりに伴うノイズは、容量Ｃl
cdを介してノードＡに伝搬しやすい。
特に、セトリング期間において信号Ｃk1がＨレベルであれば、スイッチ４１１がオンし
、スイッチ４１２がオフしているので、図１１に示されるように、ノイズがノードＡに重
畳して、セトリング電圧を変動させてしまう。このようにセトリング電圧が変動すると、
カウント値Ｃntがタッチの有無を反映しなくなるので、誤検出の原因となってしまう。
そこで、本実施形態では、コモン信号Ｖcomが電圧ＶcomLから電圧ＶcomHに切り替わる
タイミングをセトリング期間の開始時とするとともに、セトリング期間をカウント期間よ
りも短くして、図９に示されるようにセトリング期間の途中でコモン電極１０８の電圧が
切り替わらないようにしている。
【００２７】
これにより、本実施形態では、コモン電極１０８の電圧切り替わりに伴うノイズの影響
を受けにくなり、タッチ検出の精度の低下が防止される。また、検出のために、フレーム
期間を分割する必要もないので、タッチ検出が、フレームで制限されることもない。
なお、ここでは、コモン信号Ｖcomが電圧ＶcomLから電圧ＶcomHに切り替わるタイミン
グをセトリング期間の開始時としているが、コモン信号Ｖcomが電圧ＶcomHから電圧Ｖcom
Lに切り替わるタイミングをセトリング期間の開始時としても良いのはもちろんである。
【００２８】
本実施形態では、同一フレームにおけるコモン信号Ｖcomの電圧を、相隣接する４行の
走査線が選択される４水平走査期間（４Ｈ）毎に切り替えているが、これは、セトリング
期間においてノードＡの電圧をセトリングさせるのに、ある程度の時間が必要だからであ
る。したがって、走査線１１２の数が少ない場合や、セトリング期間における信号Ｃk1〜
Ck10の周波数によっては、走査線が選択される１水平走査期間（Ｈ）毎に、または、より
長い水平走査期間毎にコモン信号Ｖcomの電圧を切り替えても良い。
【００２９】
ところで、本実施形態のように、コモン信号Ｖcomの電圧切り替えを４水平走査期間（
４Ｈ）毎に実行する場合、当該４行の走査線に対応する画素は互い同極性となるが、次の
４行の走査線に対応する画素は反対極性となる。このため、正極性と負極性とにおいて、
なんらかの原因により、表示データＤaで指定される階調が同じであっても、液晶容量１
２０の透過率が異なっていると、明るさの差が４行毎に現れて表示むらとして視認される
場合がある。
【００３０】
本実施形態では、この表示むらを視認しにくくするため、制御回路３１０は、１フレー
ム毎に、コモン信号Ｖcomの電圧切り替えるタイミングを、すなわち書込極性の反転タイ
ミングを、３行ずつシフトさせている。
詳細には、図６に示されるように、あるフレーム（「ｎフレーム」と表記）を基準とし
て、１〜４、９〜１２、…、３１３〜３１６行目の画素に対して、それぞれ負極性（「−
」と表記）が指定され、５〜８、１３〜１６、…、３１７〜３２０行目の画素に対して正
極性（「＋」と表記）されるとしたとき、次の（ｎ＋１）フレームから（ｎ＋７）フレー
ムまでは、同図および図７に示されるように、各行の画素に対して書込極性が設定される
。なお、上述したように、コモン信号Ｖcomは、正極性が指定された場合には電圧ＶcomL
となり、負極性が指定された場合には電圧ＶcomHとなる。
このように書込極性の反転タイミングをフレーム毎にシフトさせると、明るさの差がフ
レーム毎に異なることになって表示むらとして視認されにくくすることが可能となる。
【００３１】
上述した実施形態では、コモン信号供給回路３２０によって出力されたコモン信号Ｖco
mの電圧切り替わりによってセトリング期間の開始と規定したが、コモン信号供給回路３
２０が、図１３に示されるように、制御回路３１０による同期信号Ｖsyncによってコモン
信号Ｖcomの電圧ＶcomLから電圧ＶcomHへの切り替える場合、図１２に示されるように、
当該同期信号Ｖsyncをコモン信号Ｖcomの代わりに供給して、当該同期信号Ｖsyncによっ
てセトリング期間の開始を規定しても良い。
【００３２】
なお、上述した各実施形態では、液晶容量１２０をノーマリーブラックモードとしたが
、電圧無印加状態において明るい状態となるノーマリーホワイトモードとしても良い。ま
た、Ｒ（赤）、Ｇ（緑）、Ｂ（青）の３画素で１ドットを構成して、カラー表示を行うと
しても良いし、さらに、別の１色（例えばエメラルドグリーン（Ｅg））を追加し、これ
らの４色の画素で１ドットを構成して、色再現性を向上させる構成としても良い。
【００３３】
＜電子機器＞
次に、上述した実施形態に係る表示装置１を有する電子機器の例について説明する。
図１４は、実施形態に係る表示装置１を用いた携帯電話１２００の構成を示す図である
。この図に示されるように、携帯電話１２００は、複数の操作ボタン１２０２のほか、受
話口１２０４、送話口１２０６とともに、上述した表示装置１を、タッチパネル基板２２
を観察者側に向けて備える。
なお、表示装置１が適用される電子機器としては、図１４に示した携帯電話の他にも、
デジタルスチルカメラ、ノートパソコン、液晶テレビ、ビデオレコーダ、カーナビゲーシ
ョン装置、ページャ、電子手帳、電卓、ワードプロセッサ、ワークステーション、テレビ
電話、ＰＯＳ端末、タッチパネル等などの機器が挙げられる。そして、これらの各種電子
機器に、上述した表示装置１が適用可能であることは言うまでもない。
【図面の簡単な説明】
【００３４】
【図１】本発明の実施形態に係る表示装置の構成を示す図である。
【図２】上記表示装置の構成を示すブロック図である。
【図３】上記表示装置における表示パネルの電気的構成を示す図である。
【図４】上記表示パネルの画素の構成を示す図である。
【図５】上記表示パネルの動作を示す図である。
【図６】上記表示パネルの動作を示す図である。
【図７】上記表示パネルの動作を示す図である。
【図８】上記表示装置におけるタッチパネルの電気的構成を示す図である。
【図９】上記タッチパネルの動作を示す図である。
【図１０】上記タッチパネルの動作を示す図である。
【図１１】上記タッチパネルの動作を示す図である。
【図１２】実施形態に係る表示装置の変形例の構成を示す図である。
【図１３】変形例に係る表示装置の動作を示す図である。
【図１４】同表示装置を適用した携帯電話の構成を示す図である。
【符号の説明】
【００３５】
１…表示装置、１０…表示パネル、３０…駆動回路、１０５…液晶層、１０８…コモン電
極、１１０…画素、１１８…画素電極、２０２…検出電極、３２０…コモン信号供給回路
、４１１、４１２…スイッチ、４２０…定電流源、４３０…容量素子、４４１…コンパレ
ータ、４４３…カウンタ、１２００…携帯電話
【図１】
0005154198.tif 000002
【図２】
0005154198.tif 000003
【図３】
0005154198.tif 000004
【図４】
0005154198.tif 000005
【図５】
0005154198.tif 000006
【図６】
0005154198.tif 000007
【図７】
0005154198.tif 000008
【図８】
0005154198.tif 000009
【図９】
0005154198.tif 000010
【図１０】
0005154198.tif 000011
【図１１】
0005154198.tif 000012
【図１２】
0005154198.tif 000013
【図１３】
0005154198.tif 000014
【図１４】
0005154198.tif 000015